(57)【要約】【課題】本発明は、連結ワイヤーを用いるだけの簡単な構成で、既存の回動ハンドルを回動操作するだけでリヤカバーを容易に持ち上げることのできるリヤカバー持ち上げ手段を提供する。【解決手段】本発明は、耕深ハンドル３６の回動操作で昇降するスライドヒッチ３４と、耕耘カバー２４の後端部に上下回動可能に枢着されて回動ハンドル３１の回動操作で上下動するリヤカバー２６の端部を所定長さの連結ワイヤー３７でもって連結可能に構成してあることを特徴とするロータリ耕耘装置の構成とする。また、連結ワイヤー３７の一端側はチエン３８又は鎖などによって構成してあることを特徴とするロータリ耕耘装置の構成とする。また、リヤカバー２６側には、連結ワイヤー３７の取付位置を任意に変更できる取付位置変更手段３９を設けてあることを特徴とするロータリ耕耘装置の構成とする。【選択図】図２
2013230096.tif 000002
【特許請求の範囲】
【請求項１】
耕深ハンドル（３６）の回動操作で昇降するスライドヒッチ（３４）と、耕耘カバー（２４）の後端部に上下回動可能に枢着されて回動ハンドル（３１）の回動操作で上下動するリヤカバー（２６）の端部を所定長さの連結ワイヤー（３７）でもって連結可能に構成してあることを特徴とするロータリ耕耘装置。
【請求項２】
前記連結ワイヤー（３７）の一端側はチエン（３８）又は鎖などによって構成してあることを特徴とする請求項１記載のロータリ耕耘装置。
【請求項３】
前記リヤカバー（２６）側には、連結ワイヤー（３７）の取付位置を任意に変更できる取付位置変更手段（３９）を設けてあることを特徴とする請求項１又は請求項２記載のロータリ耕耘装置。
【請求項４】
ロータリ耕耘部の耕耘フレーム（１９）に支持したリヤカバー（２６）の支持ロッド（３０）とトラクタのロプスフレーム（１６）とにわたって連結ワイヤー（３７）を介して連結可能に構成してあることを特徴とする請求項１又は請求項２又は請求項３記載のロータリ耕耘装置。
【発明の詳細な説明】
【技術分野】
【０００１】
この発明は、農業用トラクタに装備されるロータリ耕耘装置に関するものである。
【背景技術】
【０００２】
従来、例えば、特許文献１に開示された技術は、リヤカバーの持ち上げに際し、特殊な構成の持ち上げ付勢手段を介してこの持ち上げレバーの操作でリヤカバーを持ち上げ支持するようになっている。
【先行技術文献】
【特許文献】
【０００３】
【特許文献１】特開２００７−６７７６号公報
【発明の概要】
【発明が解決しようとする課題】
【０００４】
上記構成のリヤカバーの持ち上げ付勢手段は、新たに設けた特殊な構成のもので複雑であり、特にレバー操作による場合は、泥が付着して重くなったリヤカバーを持ち上げるには容易ではなく、多大の労力が必要となる。
【課題を解決するための手段】
【０００５】
この発明は、上記課題を解決すべく次のような技術的手段を講じた。
すなわち、請求項１記載の本発明は、耕深ハンドル（３６）の回動操作で昇降するスライドヒッチ（３４）と、耕耘カバー（２４）の後端部に上下回動可能に枢着されて回動ハンドル（３１）の回動操作で上下動するリヤカバー（２６）の端部を所定長さの連結ワイヤー（３７）でもって連結可能に構成してあることを特徴とする。
【０００６】
リヤカバー（２６）は自然垂れ下がり状態で、且つ、カバー回動位置が「耕耘」の状態位置にあるとき、スライドヒッチ（３４）とリヤカバー（２６）を連結ワイヤー（３７）にて連結する。そして、上げロックレバーをロック位置にし、カバー回動ハンドル（３１）にてカバー回動位置「耕耘」状態から「代掻き」側に回動操作すると、リヤカバー（２６）はワイヤー（３７）を介して持ち上げられ、上方に大きくはね上げられる
ワイヤー（３７）を用いるだけの簡単な構成で、既存の回動ハンドル（３１）を回動操作するのみでリヤカバー（２６）を軽操作で容易に持ち上げることができる。従って、リヤカバーの裏側に付着した泥土の除去が容易に行える。
【０００７】
請求項２記載の本発明は、請求項１において、前記連結ワイヤー（３７）の一端側はチエン（３８）又は鎖などによって構成してあることを特徴とする。
ワイヤー（３７）の一端側をチエン３８や鎖などによって構成することで、ワイヤーの全長が任意に選択できるようになり、スライドヒッチ（３４）がどのような位置にあってもワイヤー全長を変えることによって即時対応することができる。
【０００８】
請求項３記載の本発明は、請求項１又は請求項２において、前記リヤカバー（２６）側には、連結ワイヤー（３７）の取付位置を任意に変更できる取付位置変更手段（３９）を設けてあることを特徴とする。
【０００９】
スライドヒッチ（３４）の位置によってリヤカバー（２６）までの距離が異なる。スライドヒッチ（３４）が水平位置にある場合は、調整プレート（３９）の中間部位の取付穴（Ｈ３）にワイヤー端部が取り付けられ、スライドヒッチ（３４）が下り傾斜位置にある場合は、下部側の取付穴（Ｈ５）に、また、スライドヒッチ（３４）が上り傾斜位置にある場合は、上部側の取付穴（Ｈ１）にワイヤー端部が取り付けられることになる。従って、同じ長さのワイヤーでも距離変化に対応することができる。
【００１０】
請求項４記載の本発明は、請求項１又は請求項２又は請求項３において、ロータリ耕耘部の耕耘フレーム（１９）に支持したリヤカバー（２６）の支持ロッド（３０）とトラクタのロプスフレーム（１６）とにわたって連結ワイヤー（３７）を介して連結可能に構成してあることを特徴とする。
【００１１】
ロータリ耕耘部を上げた状態で、リヤカバー（２６）の支持ロッド（３０）と機体側のロプスフレーム（１６）をワイヤー（３７）でもって連結保持する。そして、ロータリ耕耘部を所定範囲下げると、リヤカバー（２６）が一気に上方に大きくはね上がり、泥の除去が容易に行える。
【発明の効果】
【００１２】
要するに、請求項１記載の本発明によれば、ワイヤーを用いるだけの簡単な構成で、既存の回動ハンドルを回動操作するだけでリヤカバーを軽い操作で容易に持ち上げることができ、リヤカバーの裏側に付着した泥土の除去作業を容易に行うことができる。
【００１３】
請求項２記載の本発明によれば、請求項１記載の効果に加えて、ワイヤーの一端側をチエンや鎖などによって構成することで、ワイヤーの全長を任意に選択でき、スライドヒッチがいかなる位置にあってもワイヤー全長を変えることによって簡単に対応することができる。
【００１４】
請求項３記載の本発明によれば、請求項１又は請求項２記載の効果に加えて、スライドヒッチの位置によってリヤカバーまでの距離が異なる場合にあっても、ワイヤー端部の取付位置を変えることによって同じ長さのワイヤーでも距離変化に充分対応することができる。
【００１５】
請求項４記載の本発明によれば、請求項１又は請求項２又は請求項３記載の効果に加えて、ロータリ耕耘部の上げ状態で、リヤカバーの支持ロッドと機体側ロプスフレームをワイヤーでもって結び、ロータリを下げることで、リヤカバーを上方に大きく持ち上げることができ、回動ハンドルによる場合のように何回も回す必要がなく、簡単にリヤカバー上げロックができる。
【図面の簡単な説明】
【００１６】
【図１】ロータリ耕耘装置を備えたトラクタの側面図
【図２】ロータリ耕耘装置の要部の側面図
【図３】同上要部の側面図
【図４】連結ワイヤーの斜視図
【図５】別例連結ワイヤーの斜視図
【図６】Ａ，Ｂ，Ｃはリヤカバーの持ち上げ作用状態を示す側面図
【図７】ロータリ耕耘装置の要部の側面図
【図８】同上要部の側面図
【図９】別例ロータリ耕耘装置の要部の側面図
【図１０】同上要部の側面図
【図１１】同上要部の側面図
【図１２】ロータリ耕耘部の要部の分解斜視図
【図１３】リンクピンの斜視図
【図１４】Ａ，Ｂ，Ｃはスライドヒッチの固定、固定解除状態を示す側断面図
【図１５】ワイヤーの巻取り及びフック部の構成を示す側面図
【図１６】リヤカバーの要部の背面図
【図１７】リヤカバーの側面図
【図１８】Ａ，Ｂは泥付着防止用ゴムの断面図
【発明を実施するための形態】
【００１７】
この発明の実施例を図面に基づき説明する。
図１は、ロータリ耕耘装置を備えたトラクタを示し、車体１前部のボンネット２内部にエンジンＥを搭載し、このエンジンＥの回転動力をミッションケ−ス３内の変速装置に伝え、この変速装置で減速された回転動力を前輪４及び後輪５とに伝えるようにしている。エンジンＥの後方に前輪４，４を操舵するステアリングハンドル６が装備され、更に、その後方には運転席７が設置されている。車体後部にロプスフレーム１６が車体１側から立設され、ロプスフレーム１６上には背面視アーチ型のロプス（安全フレーム）１７が装着支持されている。
【００１８】
ミッションケ−ス３の後上部には油圧シリンダケース８が搭載され、このシリンダケース８の左右両側部には、油圧昇降機構の一部を構成するリフトアーム９，９が回動自在に枢支されている。シリンダケース８内に収容されている作業機昇降用油圧シリンダ１０に作動油を供給するとリフトアーム９，９が上方に回動し、排出するとリフトアーム９，９は下降するようになっている。
【００１９】
車体後部にはトップリンク１１と左右のロワリンク１２からなる３点リンク機
構を設け、同リンク機構にロ−タリ耕耘装置１３を連結している。このロ−タリ耕耘装置１３は、コントロールレバー１５を操作すると前記リフトア−ム９の上下動によりリフトロッド１４を介して昇降するようになっている。
【００２０】
ロータリ耕耘装置１３は、中央のギヤボックス１８から左右両側に枠体を延出して耕耘フレーム１９を構成し、枠体の一側にはチエンケース２０が設けられている。前記ギヤボックス１８の左右両側からトップリンクマスト２１を突設し、３点リンク機構のトップリンク１１をマスト２１の前側端部に連結している。トラクタ本体から突設するＰＴＯ軸２２の回転動力がギヤボックス１８内伝動機構に伝達され、更に、チエンケース２０内の耕耘伝動機構を経てロータリ軸２３に伝達されるようになっている。
【００２１】
耕耘カバー２４の後端部には、左右横方向のピン軸２５を支点としてリヤカバー２６が上下回動自在に枢着支持されている。耕耘フレーム１９から後方に延出する支持ステー２７とリヤカバー２６側から突設したカバー側ステー２８との間には、張圧ばね２９を介して伸縮可能な支持ロッド３０が連結支持され、リヤカバーが張圧ばね２９によって常時下方側に向けて張圧保持されるようになっている。また、リヤカバー２６は、回動ハンドル３１の回動操作でねじ機構３２を介して上下回動する構成になっており、作業によってカバー回動位置を「畦立」「耕耘」「代掻き」状態に回動操作することができる。
【００２２】
前記マスト２１の後側端部と昇降可能なスライドヒッチ３４には、ねじ機構を用いたリフト機構３５がそれぞれ回動自在に連結され、耕深ハンドル３６の回動操作によりスライドヒッチ３４が上下に昇降するようになっている。
【００２３】
次に、リヤカバー２６の持ち上げ手段（はね上げ手段）について説明すると、リヤカバー２６側には、図４に示すような両端にフック部３７ａ，３７ａを備えた連結ワイヤー３７を引っ掛ける「つ」字型（又は「Ｕ」字型）の係止フック４０を設け、スライドヒッチ３４側にも前記連結ワイヤー３７を引っ掛ける「つ」字型又は「Ｕ」字型の係止フック４１を設ける。
【００２４】
そして、リヤカバー２６の係止フック４０とスライドヒッチ３４の係止フック４１にワイヤー３７両端のフック部３７ａ，３７ａを引っ掛け保持し、回動ハンドル３１を「代掻き」側に回すと、リヤカバー２６が図２の状態から図３のように上方へはね上がるようになっている。
【００２５】
なお、ワイヤーのフック部に図のようなカラビナを設けておくことで、簡単にワイヤーを引っ掛けることができ、且つ、外れを防止することができる。ワイヤー端部のフック部として鉄製のリングを設けるものであっても良いが、これによると、ワイヤーとフック部の磨耗を防ぎ、ワイヤーの切断も防ぐことができる。
【００２６】
また、回動ハンドル３１のねじ機構の螺子部を螺子１条の並目螺子にすることで、巻き数は大きくなるが１回転での荷重を軽減することができる。
また、前述の構成、つまり、スライドヒッチ３４とリヤカバー２６をワイヤー３７で連結したものにおいて、耕深ハンドル３６の回動操作でスライドヒッチを引き上げることによってもリヤカバーをはね上げることができる。
【００２７】
図５例に示すように、前記ワイヤー３７の片側をチエン（鎖でもよい）３８によって構成することで、ワイヤーの全長を任意に変えることができ、スライドヒッチがどの位置にあっても容易に対応することできる。なお、ワイヤーの中間部にターンバックルを設けて、ワイヤーの全長が任意に選択できるように構成することもできる。
【００２８】
また、スライドヒッチ３４側の係止フック４１に調節螺子部を設けることで、任意に上下位置を調整し、同じ長さのワイヤーでもリヤカバーとスライドヒッチとの距離変化にも対応することができる。
【００２９】
また、図６例に示すように、前記リヤカバー２６側には、ワイヤー３７の取付位置が任意に変更できるように係止フック４０の取付位置を変更する数個の取付穴Ｈ１，Ｈ２，Ｈ３，Ｈ４，Ｈ５を施した調整プレート３９が設けられている。  スライドヒッチ３４の位置によってリヤカバー２６までの距離が異なるため、図６Ａのように、スライドヒッチ３４が水平位置にある場合は、調整プレート３９の中間部位の取付穴Ｈ３にワイヤー端部が取り付けられ、図６Ｂのように、スライドヒッチ３４が下り傾斜位置にある場合は、下部側の取付穴Ｈ５に、また、図６Ｃのように、スライドヒッチ３４が上り傾斜位置にある場合は、上部側の取付穴Ｈ１にワイヤー端部が取り付けられることになる。
【００３０】
図７及び図８例は、ロータリ耕耘部を上げた状態図７参照で、トラクタのロプスフレーム１６とリヤカバー２６の支持ロッド３０をワイヤー３７で連結し、ロータリ耕耘部を図８のように所定量下げると、リヤカバーがはね上がり、リヤカバーが上げロック状態となるよう構成している。これによると、リヤカバー上げロックが簡単に行える。また、ワイヤー３７の中間部にはターンバックル４３を設けてワイヤーの全長を調整できるようにしている。
【００３１】
上記構成（図７、図８）において、上げ下げロックレバー４４を上げロックの位置にし、上げロック用に設けた上げロック用スイッチを押すとロータリが下がり始める。この時、ワイヤーでロプスフレームと支持ロッドが連結されているため、リヤカバー２６が上り始める。そして、上げロック位置になるとリヤカバーがロックされる。リヤカバー２６が上げロックの位置で固定されるとリフトアームに設けてあるアングルセンサと、自動耕深制御用に設けてあるアングルセンサとが共に角度変化を検出しなくなる。２つのアングルセンサの角度変化がなくなることで、ロータリの降下が自動的に停止するようになっている。
【００３２】
図９、図１０及び図１１例は、スライドヒッチ３４とリヤカバー２６をスライドヒッチ装着タイプのスタンド４２にて連結し、回動ハンドル３１を回動操作することにより、リヤカバー２６が図９の状態から図１０の状態に持ち上げられるように構成している。リヤカバー持ち上げ不用時は、図１１に示すように本来の転倒防止用スタンドとして使用するようになっている。
【００３３】
スライドヒッチとリヤカバーの連結手段として、図１２例に示すように、前記のワイヤーに代えて、数個の取付穴４５ａを設けた連結プレート４５によってスライドヒッチ３４とリヤカバー２６を連結するように構成するものであっても良い。
【００３４】
図１３例に示すリング４６ａとピン４６ｂからなるリングピン４６は、このリングピンを用いて、図１４例に示すようなスライドヒッチ３４のヒッチ部３４ａとヒッチフレーム部３４ｂを固定するように構成したものである。つまり、図１４Ａは、ヒッチ部３４ａとヒッチフレーム部３４ｂの固定状態を示し、図１４Ｂは、リング４６ａを回してピン４６ｂを上げる状態を示し、図１４Ｃは、ピン４６ｂを抜き外して固定解除状態を示している。かかる固定方法によると、ピンの抜き差しをする必要がなく、簡単に操作することができる。
【００３５】
ワイヤー端部のフック形状において、図１５に示すように、ワイヤー３７端部のフック部をＳ字型フック部３７ａに構成したり、このワイヤー３７をリール４７によって巻き取り式とすることもできる。また、図１６に示すように、リヤカバー２６側の係止フックを丸棒状の係止杆４７とすることもできる。
【００３６】
図１７に示すように、リヤカバー２６の裏側に取り付けられる泥付着防止用ゴム４９にたるみをもたせ、耕耘時の振動で泥を落し易くしている。
また、前記泥付着防止用ゴム４９において、図１８Ａのように、ゴムの表面に溝４９ａをつけた形状として泥落し作業が容易に行えるように構成したり、また、図１８Ｂのように、ゴム自体をウエーブ状に形成し、耕耘爪がウエーブ凸部に当たるようにすることで振動を与え、泥が付着しにくくすることもできる。
【００３７】
なお、前記ゴム自体を超高分子量ポリエチレンに変更して、泥が付きにくくすることもできる
【符号の説明】
【００３８】
１３    ロータリ耕耘装置
１６    ロプスフレーム
２４    耕耘カバー
２６    リヤカバー
３０    支持ロッド
３１    回動ハンドル
３４    スライドヒッチ
３６    耕深ハンドル
３７    連結ワイヤー
３８    チエン
３９    調整プレート（取付位置変更手段）
【図１】
2013230096.tif 000003
【図２】
2013230096.tif 000004
【図３】
2013230096.tif 000005
【図４】
2013230096.tif 000006
【図５】
2013230096.tif 000007
【図６】
2013230096.tif 000008
【図７】
2013230096.tif 000009
【図８】
2013230096.tif 000010
【図９】
2013230096.tif 000011
【図１０】
2013230096.tif 000012
【図１１】
2013230096.tif 000013
【図１２】
2013230096.tif 000014
【図１３】
2013230096.tif 000015
【図１４】
2013230096.tif 000016
【図１５】
2013230096.tif 000017
【図１６】
2013230096.tif 000018
【図１７】
2013230096.tif 000019
【図１８】
2013230096.tif 000020